(57)【要約】      （修正有）【課題】進行スピードの速い火災をより早く検出することのできる煙感知器及び煙検知システムを提供する。【解決手段】煙感知器１０は、検煙空間内の煙によって生じる物理量の変化を検出する第１煙センサと、第１煙センサの出力の上昇率が第１閾値よりも大きい場合に、第１煙センサからの出力を補正する制御部４とを備える。また、煙感知器は、検煙空間内の煙によって生じる物理量の変化を検出する第１煙センサと、検煙空間内の煙によって生じる物理量の変化を検出する第２煙センサと、第１煙センサの出力の上昇率が第１閾値よりも大きい場合に、第１煙センサからの出力と第２煙センサからの出力との出力比に応じて、第１煙センサからの出力と第２煙センサからの出力のいずれかを補正する制御部４とを備えてもよい。【選択図】図１
2019220113.tif 000002
【特許請求の範囲】
【請求項１】
検煙空間内の煙によって生じる物理量の変化を検出する第１煙センサと、
前記第１煙センサの出力の上昇率が第１閾値よりも大きい場合に、前記第１煙センサからの出力を補正する制御部とを備えた
煙感知器。
【請求項２】
前記検煙空間内の煙によって生じる物理量の変化を検出する第２煙センサを備え、
前記制御部は、前記第１煙センサからの出力と前記第２煙センサからの出力との出力比に基づいて、前記第１煙センサからの出力の補正の大きさを決定する
請求項１記載の煙感知器。
【請求項３】
前記制御部は、前記第１煙センサからの出力が第２閾値を超えた値でありかつ前記第１煙センサの出力の前記上昇率が前記第１閾値よりも小さい場合に、前記第１煙センサからの出力を補正する
請求項１または請求項２に記載の煙感知器。
【請求項４】
検煙空間内の煙によって生じる物理量の変化を検出する第１煙センサと、
前記検煙空間内の煙によって生じる物理量の変化を検出する第２煙センサと、
前記第１煙センサの出力の上昇率が第１閾値よりも大きい場合に、前記第１煙センサからの出力と前記第２煙センサからの出力との出力比に応じて、前記第１煙センサからの出力と前記第２煙センサからの出力のいずれかを補正する制御部とを備えた
煙感知器。
【請求項５】
煙感知器と、前記煙感知器に接続された受信機とを備えた煙検知システムであって、
前記煙感知器は、
検煙空間内の煙によって生じる物理量の変化を検出する第１煙センサを備え、
前記受信機は、
前記第１煙センサの出力の上昇率が、第１閾値よりも大きい場合に、前記第１煙センサからの出力を補正する
煙検知システム。
【発明の詳細な説明】
【技術分野】
【０００１】
本発明は、煙センサを備えた煙感知器及び煙検知システムに関する。
【背景技術】
【０００２】
従来、波長λ１の光を出射する第１の発光手段と、波長λ１とは異なる波長λ２の光を出射する第２の発光手段と、波長λ１の光および波長λ２の光の煙による散乱光または透過光を受光する受光手段とを備えた煙感知器がある（たとえば、特許文献１参照）。
【先行技術文献】
【特許文献】
【０００３】
【特許文献１】特許第３９３９９００号公報（請求項１）
【発明の概要】
【発明が解決しようとする課題】
【０００４】
上記特許文献１に記載の煙感知器は、受光手段が出力する波長λ１の光出力と、波長λ２の光出力との出力比に基づいて、煙の性状を決定し、決定した煙の性状に応じて波長λ１の光出力と波長λ２の光出力のいずれかを用いて火災を監視している。
【０００５】
ところで、火災には進行スピードの速いものと遅いものとがあるが、進行スピードの速い火災については、延焼範囲の拡大を抑制するために、より早く検出することが望まれていた。
【０００６】
本発明は、上記のような課題を背景としてなされたものであり、進行スピードの速い火災をより早く検出することのできる煙感知器及び煙検知システムを提供するものである。
【課題を解決するための手段】
【０００７】
本発明に係る煙感知器は、検煙空間内の煙によって生じる物理量の変化を検出する第１煙センサと、前記第１煙センサの出力の上昇率が第１閾値よりも大きい場合に、前記第１煙センサからの出力を補正する制御部とを備えたものである。
また、本発明に係る煙感知器は、検煙空間内の煙によって生じる物理量の変化を検出する第１煙センサと、前記検煙空間内の煙によって生じる物理量の変化を検出する第２煙センサと、前記第１煙センサの出力の上昇率が第１閾値よりも大きい場合に、前記第１煙センサからの出力と前記第２煙センサからの出力との出力比に応じて、前記第１煙センサからの出力と前記第２煙センサからの出力のいずれかを補正する制御部とを備えたものである。
【０００８】
本発明に係る煙検知システムは、煙感知器と、前記煙感知器に接続された受信機とを備えた煙検知システムであって、前記煙感知器は、検煙空間内の煙によって生じる物理量の変化を検出する第１煙センサを備え、前記受信機は、前記第１煙センサの出力の上昇率が、第１閾値よりも大きい場合に、前記第１煙センサからの出力を補正するものである。
【発明の効果】
【０００９】
本発明によれば、第１煙センサの出力の上昇率が第１閾値よりも大きい場合には、第１煙センサからの出力を補正する。第１煙センサの出力の上昇率が大きいということは、火災の進行スピードが速い場合がある。このため、補正後の第１煙センサからの出力を用いて火災の判定を行うことで、進行スピードの速い火災をより早く検出することができる。
【図面の簡単な説明】
【００１０】
【図１】実施の形態に係る煙検知システム及び煙感知器の機能ブロック図である。
【図２】煙の発生原因による煙濃度の上昇率の違いを説明する図である。
【図３】実施の形態に係る火災検出処理を説明するフローチャートである。
【発明を実施するための形態】
【００１１】
実施の形態．
（煙感知器１０の構成）
図１は、実施の形態に係る煙検知システム及び煙感知器１０の機能ブロック図である。煙感知器１０は、第１発光素子１、第２発光素子２、受光素子３、制御部４、記憶部５、及び発報部６を備える。煙感知器１０は、火災受信機２０に信号線を介して接続されており、煙感知器１０は火災受信機２０に対して火災発生の有無に関する信号を出力する。本実施の形態では、１又は複数の煙感知器１０と火災受信機２０とで、煙検知システムを構成している。
【００１２】
本実施の形態の煙感知器１０は、筐体内に形成された検煙空間に向けて光を出射し、検煙空間内に存在する煙によって生じる散乱光を受光して煙を検出する光電式煙感知器である。本実施の形態では、第１発光素子１と受光素子３とが煙によって生じる物理量の変化を検出する第１煙センサとして機能し、第２発光素子２と受光素子３とが煙によって生じる物理量の変化を検出する第２煙センサとして機能する。
【００１３】
第１発光素子１及び第２発光素子２は、例えばＬＥＤ（Light Emitting Diode）であり、検煙空間に向けて光を出射する。第１発光素子１及び第２発光素子２は、ともに検煙空間に向けて可視光領域の赤色光（例えば波長６５５ｎｍ）を出射する。なお、第１発光素子１及び第２発光素子２は、波長６５５ｎｍの赤色光を出射するものに限定されず、波長６００ｎｍ〜７００ｎｍの範囲内にピーク波長を有する光を出射するものであればよい。また、第１発光素子１と第２発光素子２は、同一波長である必要はなく、異なる波長であってもよい。
【００１４】
受光素子３は、光を受光し、その受光強度に応じた信号を出力する。受光素子３は、例えばフォトダイオードである。受光素子３は、第１発光素子１及び第２発光素子２が出射する光が直接は入射しない位置に配置されている。すなわち、第１発光素子１の光軸を第１投光軸、第２発光素子２の光軸を第２投光軸、受光素子３の光軸を受光軸とすると、第１投光軸と受光軸とが交差し、かつ第２投光軸と受光軸とが交差する。受光素子３は、第１発光素子１及び第２発光素子２から出射された光が煙の粒子に反射して生じる散乱光を受光する。
【００１５】
受光素子３は、第１発光素子１の第１投光軸に対する受光軸の角度θ１（散乱角）が鋭角（例えば６０度）になる位置にあり、第２発光素子２の第２投光軸に対する受光軸の角度θ２（散乱角）が鈍角（例えば１１０度）になる位置にある。角度θ１と角度θ２とは異なる。したがって、受光素子３は、第１発光素子１が光を出射している際には、第１発光素子１の光により生じる煙の前方散乱光を受光する。また、第２発光素子２が光を出射している際には、受光素子３は、第２発光素子２の光により生じる煙の後方散乱光を受光する。角度θ１は鋭角であればよく、より好ましくは５０度〜７０度の範囲の値である。また、角度θ２は鈍角であればよく、より好ましくは１００度〜１２０度の範囲の値である。
【００１６】
受光素子３は、第１発光素子１の光により生じた煙からの散乱光の受光強度の値を第１出力信号Ｓ１として出力し、第２発光素子２の光により生じた煙からの散乱光の受光強度の値を第２出力信号Ｓ２として出力する。
【００１７】
制御部４は、第１発光素子１及び第２発光素子２の発光動作を制御する。また制御部４は、受光素子３から出力された第１出力信号Ｓ１及び第２出力信号Ｓ２を用いて火災発生の有無を判定する。火災発生の有無の判定に用いられる火災閾値等のデータは、記憶部５に記憶されている。火災が発生していると判定した場合には、制御部４は、発報部６を制御して火災発生を示す信号を火災受信機２０に送信する。
【００１８】
ここで、制御部４は、専用のハードウェア、またはメモリに格納されるプログラムを実行するＭＰＵ（Micro Processing Unit）で構成される。制御部４が専用のハードウェアである場合、制御部４は、例えば、単一回路、複合回路、ＡＳＩＣ（Application Specific Integrated Circuit）、ＦＰＧＡ（Field-Programmable Gate Array）、またはこれらを組み合わせたものが該当する。制御部４が実現する各機能のそれぞれを、個別のハードウェアで実現してもよいし、各機能を一つのハードウェアで実現してもよい。制御部４がＭＰＵの場合、制御部４が実行する各機能は、ソフトウェア、ファームウェア、またはソフトウェアとファームウェアとの組み合わせにより実現される。ソフトウェアやファームウェアはプログラムとして記述され、メモリに格納される。ＭＰＵは、メモリに格納されたプログラムを読み出して実行することにより、制御部４の各機能を実現する。メモリは、例えば、ＲＡＭ、ＲＯＭ、フラッシュメモリ、ＥＰＲＯＭ、ＥＥＰＲＯＭ等の、不揮発性または揮発性の半導体メモリである。また、記憶部５は、例えば、ＲＡＭ、ＲＯＭ、フラッシュメモリ、ＥＰＲＯＭ、ＥＥＰＲＯＭ等の、不揮発性または揮発性の半導体メモリである。
【００１９】
発報部６は、火災信号を火災受信機２０へ送信する信号送信回路である。
【００２０】
（火災検出処理）
制御部４は、第１発光素子１が発光したときに受光素子３から出力される第１出力信号Ｓ１、又はこの第１出力信号Ｓ１を補正した値である第１出力信号ＳＣ１と、火災判定用の閾値である火災閾値とを対比することにより、火災が発生しているか否かを検出する。
【００２１】
ここで、第１出力信号Ｓ１を補正して第１出力信号ＳＣ１を得る処理について、説明する。火災が発生したときには、１種類の煙のみが発生するのではなく、白煙、灰色煙、黒煙等、燃焼物に応じて種々の種類の煙が発生する。また、煙感知器１０が設置される室内には、火災による煙ではなく湯気が発生する場合もある。煙感知器１０は、これら種々の煙のいずれが発生しても火災を検知して発報する必要がある一方で、湯気が発生した場合には火災と判定しないようにする必要がある。そして、第１出力信号Ｓ１と第２出力信号Ｓ２との出力比Ｒ（＝第１出力信号Ｓ１／第２出力信号Ｓ２）は、煙の種類及び湯気であるか否かに応じた値になる。すなわち出力比Ｒにより、煙の種類及び湯気であるか否かが判定できる。
【００２２】
白煙及び灰色煙が煙感知器１０の検煙空間内にある場合の受光素子３の受光強度は、黒煙が検煙空間内にある場合の受光素子３の受光強度よりも大きい。言い換えると、黒煙が検煙空間内にある場合には、受光素子３の受光強度が相対的に小さい。このため、黒煙、白煙及び灰色煙とで同じ火災閾値を用いるとすると、黒煙の場合には火災が発生していると判定しにくい。また、湯気が検煙空間内にある場合には、非火災であると判定する必要がある。これらのことから、出力比Ｒすなわち煙等の種類に基づいて第１出力信号Ｓ１を補正して補正後の第１出力信号ＳＣ１を得て、この補正後の第１出力信号ＳＣ１を用いて火災の判定を行う。
【００２３】
記憶部５には、煙の種類及び湯気であるか否かを判定する指標となる出力比Ｒと、補正係数Ｃｆとを対応づけた補正テーブル又は計算式が記憶されている。制御部４は、補正テーブル又は計算式を参照して、算出した出力比Ｒに対応する補正係数Ｃｆを取得し、取得した補正係数Ｃｆを用いて第１出力信号Ｓ１を補正し、補正後の第１出力信号ＳＣ１を生成する。ＣＳ計（減光率計）による測定値に追従した補正後の第１出力信号ＳＣ１を得るべく、黒煙である場合の補正係数Ｃｆは、白煙及び灰色煙である場合の補正係数Ｃｆよりも大きい値である。また、黒煙である場合の補正係数Ｃｆは、第１出力信号Ｓ１を増幅させて補正後の第１出力信号ＳＣ１とするような値である。また、湯気の場合には、非火災であると判定する必要があるため、湯気の場合の補正係数Ｃｆは、補正後の第１出力信号ＳＣ１の値の方が補正前の第１出力信号Ｓ１の値よりも小さくなるような値とする。
【００２４】
制御部４は、補正後の第１出力信号ＳＣ１の値が火災閾値よりも大きい場合に、火災が発生していると判定する。火災が発生していると判定した場合には、発報部６から火災受信機２０へ火災信号が送信される。
【００２５】
なお、発報部６から火災信号を送信するのではなく、補正後の煙濃度をアナログ値として送信してもよい。その場合、発報部６からのアナログ値を受信した火災受信機２０で火災を判別する。また、ここでは第１出力信号Ｓ１を補正することを説明したが、火災の判定に用いる火災閾値を補正してもよい。
【００２６】
制御部４が出力比Ｒを取得するタイミングについて説明する。例えば、制御部４は、第１発光素子１及び第２発光素子２を常に交互に発光させて、継続的に出力比Ｒを取得することができる。そのほか、制御部４は、第１発光素子１を常時発光させ、受光素子３からの出力が火災閾値よりも小さい値として設定された設定値を超えたか否かを監視する。この設定値は、記憶部５に記憶されている。そして、制御部４は、受光素子３からの出力が設定値を超えたときに、第１発光素子１及び第２発光素子２を交互に発光させて出力比Ｒを取得するようにしてもよい。
【００２７】
また、煙感知器１０が設置される室内では、火災による煙ではなく調理に伴う煙が発生する場合もある。図２は、煙の発生原因による煙濃度の上昇率の違いを説明する図である。図２では、燃焼時間の経過に伴う煙濃度の変化率の違いを、ポリウレタンを燃焼させた場合（実線）とハンバーグを調理した場合（破線）とで比較したものである。ポリウレタンを燃焼させた場合は、火災が発生した場合の一例を示したものである。ハンバーグの調理は、コンロに載置した鉄板の上でハンバーグを加熱することにより行った。
【００２８】
図２に示すように、ポリウレタンを燃焼させた場合には、調理時よりも単位時間あたりの煙濃度の上昇量が高い。火災発生時に燃える物あるいはその物の位置等によって、火災に伴う煙濃度の上昇率は異なるが、火災発生時に生じる煙濃度の上昇率は、調理時に発生する煙濃度の上昇率よりも大きい傾向がある。そして、煙濃度の上昇率が大きい場合には、延焼拡大を抑制するために、より早く火災の発生を検出することが望まれる。また、実際の煙濃度が低い場合には、受光素子３の出力が安定しにくい。受光素子３の出力が安定していない状態で、この受光素子３の出力を補正して火災判定に用いると、火災の誤報が生じうる。
【００２９】
そこで、本実施の形態では、受光素子３の出力の上昇率が第１閾値よりも大きい場合に、受光素子３の出力を補正する。これにより、受光素子３の出力の上昇率が大きい、すなわち煙濃度の上昇速度が速い場合には、より早く火災の発生が検出される。
【００３０】
図３は、実施の形態に係る火災検出処理を説明するフローチャートである。まず、第１発光素子１が発光する（Ｓ１０）。第１発光素子１が発光しているときの受光素子３の第１出力信号Ｓ１の値の上昇率が、第１閾値よりも大きいか否かが検出される（Ｓ１１）。具体的には例えば、受光素子３の第１出力信号Ｓ１を煙濃度に換算した値が、６０秒前の受光素子３の第１出力信号Ｓ１を煙濃度に換算した値よりも０．２％／ｍ以上上昇している場合に、ステップＳ１１においてＹＥＳと判定される。
【００３１】
受光素子３の第１出力信号Ｓ１の値の上昇率が第１閾値よりも大きい場合には（Ｓ１１：ＹＥＳ）、第１出力信号Ｓ１を補正する（Ｓ１２）。受光素子３の第１出力信号Ｓ１の補正は、第１出力信号Ｓ１に補正係数Ｃｆを乗じて補正後の第１出力信号ＳＣ１を得ることによって行われる。
【００３２】
他方、受光素子３の第１出力信号Ｓ１の上昇率が第１閾値よりも大きくない場合には（Ｓ１１：ＮＯ）、ステップＳ１３に進む。
【００３３】
ステップＳ１３では、受光素子３の出力が、火災閾値よりも大きいか否かが判定される。火災閾値と対比されるのは、ステップＳ１２で得られた補正後の第１出力信号ＳＣ１、あるいは、ステップＳ１２で補正されていない場合には第１出力信号Ｓ１である。受光素子３の出力が火災閾値よりも大きい場合には（Ｓ１３：ＹＥＳ）、発報処理が行われる（Ｓ１４）。受光素子３の出力が火災閾値よりも大きくない場合には、ステップＳ１０に戻って火災の監視が継続される。
【００３４】
以上のように本実施の形態によれば、第１煙センサとして機能する第１発光素子１と受光素子３とを備え、第１発光素子１が発光したときの受光素子３からの出力の上昇率が第１閾値よりも大きい場合には、受光素子３の出力を補正する。このため、煙濃度の上昇率が大きい場合、すなわち火災の進行スピードが速い場合には、より早く火災の発生が検出される。特に、本実施の形態のように、黒煙である場合の補正係数Ｃｆは、第１出力信号Ｓ１を増幅させる値であるため、火災がより早く検出される。
【００３５】
さらに好ましくは本実施の形態では、第２煙センサとして機能する第２発光素子２と受光素子３とを備え、第１発光素子１が発光したときの受光素子３の出力と第２発光素子２が発光したときの受光素子３の出力との出力比Ｒに基づいて、補正の大きさを決定する。この出力比Ｒは、煙の種類及び湯気であるか否かに応じた値であるため、火災であるか非火災であるかをより正確に判定することができる。
【００３６】
（変形例）
図３では、第１出力信号Ｓ１の値の上昇率が第１閾値よりも大きくない場合には、第１出力信号Ｓ１を補正しないことを説明した。しかし、上昇率が第１閾値よりも大きくない場合であっても、条件を満たした場合には第１出力信号Ｓ１を補正するようにしてもよい。具体的には、図３で示したフローチャートにおいて、ステップＳ１１で受光素子３の第１出力信号Ｓ１の値の上昇率が第１閾値よりも大きくないと判定された場合に、受光素子３の第１出力信号Ｓ１の値が第２閾値よりも大きいか否かを判定する。そして、受光素子３の第１出力信号Ｓ１の値が第２閾値よりも大きい場合に第１出力信号Ｓ１を補正し、受光素子３の出力が第２閾値よりも大きくない場合には第１出力信号Ｓ１を補正しない。すなわち、ステップＳ１１で火災の進行速度が速くないと判定された場合であっても、第１出力信号Ｓ１が大きな値となった場合には、ステップＳ１２にて第１出力信号Ｓ１を補正して補正後の第１出力信号ＳＣ１を得る。具体的には、受光素子３の出力を煙濃度に換算した値が、２．０％／ｍ（第２閾値）よりも大きい場合に、ステップＳ１２に進む。
【００３７】
このように、第１発光素子１が発光したときの受光素子３の出力が第２閾値を超えた値であり、かつ第１発光素子１が発光したときの受光素子３からの出力の上昇率が第１閾値よりも小さい場合に、受光素子３の出力を補正する。すなわち、火災の進行スピードが遅くて受光素子３の出力の上昇率が第１閾値よりも小さい場合であっても、受光素子３の出力が第２閾値を超えている場合には、受光素子３の出力を補正する。補正後の出力を火災の判定に用いることで、進行スピードの遅い火災が発生している場合にも、火災の発生を検出することができる。なお、この変形例では、第１出力信号Ｓ１の値の上昇率が第１閾値よりも大きくないと判定された場合であって、受光素子３の第１出力信号Ｓ１の値が第２閾値よりも大きい場合に、第１出力信号Ｓ１を補正することを説明した。しかし、第１出力信号Ｓ１の値の上昇率にかかわらず、第１出力信号Ｓ１の値が第２閾値よりも大きい場合に、第１出力信号Ｓ１を補正してもよい。すなわち、この変形例においては図３のステップＳ１１おいて、第１出力信号Ｓ１の値の上昇率を判定することに代えて、第１出力信号Ｓ１の値と第２閾値との大小関係を判定してもよい。
【００３８】
（変形例）
第１出力信号Ｓ１と第２出力信号Ｓ２との出力比Ｒに対応した補正係数Ｃｆにて、第１出力信号Ｓ１を補正するという処理を、次のように変形することもできる。具体的には、出力比Ｒに応じて選択される、第１出力信号Ｓ１と第２出力信号Ｓ２のうちのいずれかを、出力比Ｒに対応した補正係数Ｃｆを用いて補正する。本実施の形態のように、第１出力信号Ｓ１に対応する第１発光素子１と受光素子３とは、両者の光軸の間に形成される角度θ１（散乱角）が鋭角である。また、第２出力信号Ｓ２に対応する第２発光素子２と受光素子３とは、両者の光軸の間に形成される角度θ２（散乱角）が鈍角である。鋭角の角度θ１（散乱角）に対応した第１出力信号Ｓ１の値は、第２出力信号Ｓ２と比べて白煙及び灰色煙から受ける影響が大きい。すなわち、白煙又は灰色煙が生じている場合、第１出力信号Ｓ１の値の変化がより顕著に現れる。他方、鈍角の角度θ２（散乱角）に対応した第２出力信号Ｓ２の値は、第１出力信号Ｓ１と比べて黒煙から受ける影響が大きい。すなわち、黒煙が生じている場合、第２出力信号Ｓ２の値の変化がより顕著に現れる。
【００３９】
このため、変形例においては、煙の種類が白煙又は灰色煙であることを出力比Ｒが表している場合には、出力比Ｒに対応する補正係数Ｃｆを用いて、第１出力信号Ｓ１を補正して、補正後の第１出力信号ＳＣ１を得る。そして、この補正後の第１出力信号ＳＣ１を用いて火災の判定を行う。このようにすることで、黒煙が生じている場合に火災がより早く検出される。
【００４０】
また、煙等の種類が黒煙であることを出力比Ｒが表している場合には、出力比Ｒに対応する補正係数Ｃｆを用いて、第２出力信号Ｓ２を補正して、補正後の第２出力信号ＳＣ２を得る。そして、この補正後の第２出力信号ＳＣ２を用いて火災の判定を行う。このようにすることで、黒煙が生じている場合に火災がより早く検出される。
【００４１】
本発明の実施の形態は、上記実施の形態に限定されず、上記実施の形態に対して種々の変更を加えることができる。例えば上記実施の形態では、２つの第１発光素子１及び第２発光素子２と、１つの受光素子３とを有する場合について例示したが、第１発光素子１及び第２発光素子２が、例えば白色光等の所定の波長域を持った１つの発光素子から構成されていてもよい。この場合、発光素子あるいは受光素子に、異なる波長特性を有する第１光学フィルタと第２光学フィルタとを設け、この第１光学フィルタと第２光学フィルタとをモータ等を用いて回転させることで、受光素子が異なる波長の散乱光を受光する構成にするとよい。また、上記実施の形態では、２つの第１発光素子１及び第２発光素子２と、１つの受光素子３とを有する場合について例示したが、１つの発光素子と、２つの受光素子とを有する構成としてもよい。この場合、発光素子の投光軸と第１の受光素子の受光軸との間に形成される散乱角と、発光素子の投光軸と第２の受光素子の受光軸との間に形成される散乱角とを異ならせるようにして、発光素子及び２つの受光素子を配置する。
【００４２】
また、上記実施の形態では、煙感知器１０の制御部４が火災検出処理を行うことを説明したが、火災受信機２０が火災検出処理を行ってもよい。この場合には、煙感知器１０は、受光素子３からの出力を伝送線を介して火災受信機２０に送り、火災受信機２０は、取得した受光素子３の出力を補正し、補正後の出力を用いて、火災発生の有無を判定する。このようにしても、上記実施の形態で説明した作用効果を得ることができる。
【符号の説明】
【００４３】
１  第１発光素子、２  第２発光素子、３  受光素子、４  制御部、５  記憶部、６  発報部、１０  煙感知器、２０  火災受信機。
【図１】
2019220113.tif 000003
【図２】
2019220113.tif 000004
【図３】
2019220113.tif 000005